(57)【特許請求の範囲】
【請求項１】
少なくとも背中の一部を覆う後身頃と、少なくとも胸部の一部を覆う前身頃とを備えた衣類であって、
左肩から右肩胛骨の方に向かい、右肩胛骨の下角の下を通り、右肩胛骨の下角を包み込むように上方に向かい、腋窩の下の胸部右側面まで伸長された帯状の第１の背緊締部と、
右肩から左肩胛骨の方に向かい、左肩胛骨の下角の下を通り、左肩胛骨の下角を包み込むように上方に向かい、腋窩の下の胸部左側面まで伸長された帯状の第２の背緊締部と、
胸部右側面から右乳房の外側面を覆い、右肩まで伸長された右側緊締部と、
胸部左側面から左乳房の外側面を覆い、左肩まで伸長された左側緊締部とを有し、
前記右側緊締部及び前記左側緊締部は、乳房の外側面においては、乳房を覆うように乳房に合わせて幅が広くなっており、肩に向かい幅が狭くなるように形成され、乳房を両側から挟み込み、乳房を外側面から乳頭中心部へ向かい下から押し上げて、乳房の位置を安定させるサイドパネルとして機能する
ことを特徴とする衣類。
【発明の詳細な説明】
【技術分野】
【０００１】
本発明は、姿勢を正しく保つことができるように補助する衣類に関する。
【背景技術】
【０００２】
人は重い頭部の荷重を１点に集中させることなく、分散させて支えることで安定した２足歩行を可能にしている。ところが、背中が丸くなり猫背になると、頭と肩の重心がずれてしまうので、首に大きな負担がかかかり、首や腰の骨を支えている筋肉のバランスが悪くなってしまう。その結果、首を支えようとして、今度は肩や腕の筋肉が使われ、肩全体が血行不良をおこし、肩や背中の筋肉がこりへと変化してしまう。また、猫背になると、呼吸筋の働きが弱って肺活量が下がり、心肺機能が低下し、基礎代謝が低下して、脂肪が付きやすくなってしまう。この場合、脂肪は衰えた筋肉の隙間につく傾向があるため、正しい姿勢で使うはずだった筋肉のあるお腹、お尻、下腹、背中、及び、わき腹などに脂肪が付き、猫背特有の肥満体型になってしまう。よって、正しい姿勢を保つことは健康な体を保つ上で重要である。また、女性の場合、姿勢と共にバストラインを美しく整えることができればより好ましい。
【先行技術文献】
【特許文献】
【０００３】
【特許文献１】特開２００９−１７４０８２号公報
【発明の概要】
【発明が解決しようとする課題】
【０００４】
本発明は、このような問題に基づきなされたものであり、簡単に姿勢を正しく保つことができるように補助することができる衣類を提供することを目的とする。
【０００５】
なお、特許文献１には、姿勢を正しく保つことができる衣類として、肩部から背部における少なくとも左右夫々の肩甲骨を覆うように強緊迫部を設けることが記載されている。しかし、本願発明の緊締部とは、配設位置が異なっている。
【課題を解決するための手段】
【０００６】
本発明の衣類は、少なくとも背中の一部を覆う後身頃と、少なくとも胸部の一部を覆う前身頃とを備えたものであって、左肩から右肩胛骨の方に向かい、右肩胛骨の下角の下を通り、右肩胛骨の下角を包み込むように上方に向かい、腋窩の下の胸部右側面まで伸長された帯状の第１の背緊締部と、右肩から左肩胛骨の方に向かい、左肩胛骨の下角の下を通り、左肩胛骨の下角を包み込むように上方に向かい、腋窩の下の胸部左側面まで伸長された帯状の第２の背緊締部とを有するものである。
【発明の効果】
【０００７】
本発明によれば、第１の背緊締部と第２の背緊締部とを設けるようにしたので、肩関節を固定することなく、肩胛骨の下側の縁に沿って肩胛骨を包み込むように緊締力を働かせて、胸郭を開き、肩胛骨を正しい位置とすることができる。よって、猫背を改善して姿勢を正しく保持することができ、筋肉への負担を改善することができる。これにより、血行が良好となり、筋肉のこりを改善することができると共に、肩から背中のラインを美しく整えることができる。また、肩胛骨の運動・可動域を妨げないので、肩及び腕を自由に動かすことができ、背筋力をつけることができる。更に、胸郭を開くことにより、乳房の位置が上がり、肩からウエストまでのラインを美しく整えることができる。
【０００８】
また更に、胸部右側面から右乳房の外側面を覆い、右肩まで伸長された右側緊締部と、胸部左側面から左乳房の外側面を覆い、左肩まで伸長された左側緊締部とを有するようにすれば、第１の背緊締部及び第２の背緊締部と連動して、サイドパネルとして機能し、乳房を両側から挟み込み、乳房を外側面から乳頭中心部へ向かい下から押し上げることができる。よって、乳房の位置を安定させて上下運動及び左右の揺れを抑制することができ、クーパー靭帯を保護して、乳房の下垂を抑制することができる。また、乳房の外側面を押さえることができ、胸からウエストのラインを美しく整えることができる。更に、乳房を中央に寄せることができ、胸の中央に谷間を作り、自然で美しいバストラインを作ることができる。
【図面の簡単な説明】
【０００９】
【図１】本発明の一実施の形態に係る衣類を後ろから見た構成を表す図である。
【図２】図１に示した衣類を前から見た構成を表す図である。
【図３】図１に示した股付き衣類を斜め前から見た構成を表す図である。
【図４】図１に示した股付き衣類を斜め後ろから見た構成を表す図である。
【発明を実施するための形態】
【００１０】
以下、本発明の実施の形態について図面を参照して詳細に説明する。
【００１１】
図１から図４は、本発明の一実施の形態に係る衣類１の構成を表すものである。この衣類１は、少なくとも背中の一部を覆う後身頃１０と、少なくとも胸部の一部を覆う前身頃２０とを備えている。後身頃１０と前身頃２０とは、例えば、両脇及び両肩において縫い合わされている。後身頃１０及び前身頃２０の長さは、必要に応じて、胸部の下まで覆うように、例えば、腹部の少なくとも一部、又は、下半身の少なくとも一部まで覆うよう構成されていてもよい。なお、図１から図４では、例えば、後身頃１０がお尻まで、前身頃２０が腹部までを覆うように構成した場合を示している。また、この衣類１には、タンクトップ、シャツ、キャミソール、ハーフトップ、ブラジャー、レオタード、ユニタード、ジムシャツ、ボディスーツ等、名称に関係なく含まれる。
【００１２】
後身頃１０は、例えば、伸縮性生地よりなる後本体部１１と、後本体部１１の一部に設けられた帯状の第１の背緊締部１２と、後本体部１１の一部に設けられた帯状の第２の背緊締部１３とを有している。後本体部１１は、例えば、体を強く締め付けない方が好ましく、体に沿う程度の伸縮性を有する生地により構成することが好ましい。体を自然な状態とし、体を動かす際に無理な力が加わらないようにするためである。第１の背緊締部１２及び第２の背緊締部１３は、例えば、後本体部１１よりも強い緊締力を有する生地、パワーネット等により構成され、後本体部１１に対して縫い合わせたり、貼り合わせたり、又は、編み込むことにより配設されている。第１の背緊締部１２及び第２の背緊締部１３の幅は、例えば、１ｃｍから６ｃｍ程度であることが好ましく、全体にわたり同一でもよいが、場所に応じて異なっていてもよい。
【００１３】
第１の背緊締部１２は、左肩から右肩胛骨の方に向かい、右肩胛骨の下角の下を通り、右肩胛骨の下角を包み込むように上方に向かい、腋窩の下の胸部右側面まで伸長されている。第２の背緊締部１３は、右肩から左肩胛骨の方に向かい、左肩胛骨の下角の下を通り、左肩胛骨の下角を包み込むように上方に向かい、腋窩の下の胸部左側面まで伸長されている。すなわち、第１の背緊締部１２と、第２の背緊締部１３とは、左右対称に配置されており、背中の中央部において交差している。これら第１の背緊締部１２及び第２の背緊締部１３は、緊締力により図１に矢印で示したように力を働かせ、胸郭を開いて、肩胛骨を正しい位置とすることで猫背を改善し姿勢を正しく保持するためのものである。
【００１４】
特に、第１の背緊締部１２及び第２の背緊締部１３は、右肩胛骨３１の下角３１Ａの下又は左肩胛骨３２の下角３２Ａの下を通り、右肩胛骨３１の下角３１Ａ又は左肩胛骨３２の下角３２Ａを包み込むように上方に向かい、腋窩の下の胸部右側面又は胸部左側面まで伸長させるようにしたので、右肩胛骨３１又は左肩胛骨３２を包み込むように緊締力を働かせることができ、より効果的に胸郭を開かせることができるようになっている。第１の背緊締部１２は右肩胛骨３１の下角３１Ａにかからない方が好ましく、第２の背緊締部１３は左肩胛骨３２の下角３２Ａにかからない方が好ましい。右肩胛骨３１の下角３１Ａの近傍における第１の背緊締部１２の上側辺の位置は、右肩胛骨３１の下角３１Ａに接する位置から右肩胛骨３１の下角３１Ａの下方に８ｃｍ離れた位置までの間にあることが好ましく、右肩胛骨３１の下角３１Ａの下方に５ｃｍ離れた位置までの間にあればより好ましい。左肩胛骨３２の下角３２Ａの近傍における第２の背緊締部１３の上側辺の位置は、左肩胛骨３２の下角３２Ａに接する位置から左肩胛骨３２の下角３２Ａの下方に８ｃｍ離れた位置までの間にあることが好ましく、左肩胛骨３２の下角３２Ａの下方に５ｃｍ離れた位置までの間にあればより好ましい。この範囲内においてより高い効果を得ることができるからである。
【００１５】
第１の背緊締部１２の胸部右側面における位置は、例えば、第１の背緊締部１２の上側辺が、腋窩から下方に２ｃｍから１５ｃｍ程度離れた範囲内に位置していることが好ましい。同様に、第２の背緊締部１３の胸部左側面における位置は、例えば、第２の背緊締部１３の上側辺が、腋窩から下方に２ｃｍから１５ｃｍ程度離れた範囲内に位置していることが好ましい。第１の背緊締部１２の胸部右側面の終端部は、例えば、胸部右側面近傍から終端部に向かい、腋窩の方に上がるように緩やかに湾曲されていることが好ましい。同様に、第２の背緊締部１３の胸部左側面の終端部は、例えば、胸部左側面近傍から終端部に向かい、腋窩の方に上がるように緩やかに湾曲されていることが好ましい。右肩胛骨３１又は左肩胛骨３２を包み込むように緊締力を働かせることができるからである。
【００１６】
また、第１の背緊締部１２及び第２の背緊締部１３は、左肩又は右肩から反対側の右肩胛骨３１又は左肩胛骨３２に向かって伸長させるようにしたので、肩関節３３を固定せず、肩及び腕を自由に動かすことができるようになっている。
【００１７】
前身頃２０は、例えば、伸縮性生地よりなる前本体部２１と、前本体部２１の一部に設けられた右側緊締部２２と、前本体部２１の一部に設けられた左側緊締部２３とを有している。前本体部２１は、例えば、後本体部１１と同様に、体を強く締め付けない方が好ましく、体に沿う程度の伸縮性を有する生地により構成することが好ましい。体を自然な状態とし、体を動かす際に無理な力が加わらないようにするためである。右側緊締部２２及び左側緊締部２３は、例えば、前本体部２１よりも強い緊締力を有する生地、パワーネット等により構成され、前本体部２１に対して縫い合わせたり、貼り合わせたり、又は、編み込むことにより配設されている。
【００１８】
右側緊締部２２は、例えば、胸部右側面から右乳房の外側面を覆い、右肩まで伸長されている。左側緊締部２３は、例えば、胸部左側面から左乳房の外側面を覆い、左肩まで伸長されている。すなわち、右側緊締部２２と、左側緊締部２３とは、左右対称に配置されている。これら右側緊締部２２及び左側緊締部２３は、第１の背緊締部１２及び第２の背緊締部１３と連動して、緊締力により図３及び図４に矢印で示したように力を働かせ、乳房を両側から挟み込み、乳房を外側面から乳頭中心部へ向かい下から押し上げて、乳房の位置を安定させるサイドパネルとして機能するものである。なお、乳房には、乳房を支えるクーバー靭帯があるが、このクーパー靭帯は、運動などによる上下左右の振動により切断されやすく、切断されると元には戻らない。よって、クーパー靭帯の切断は乳房の下垂を引き起こしてしまうが、本実施の形態によれば、右側緊締部２２及び左側緊締部２３により、乳房の位置を安定させ、上下左右の振動を抑制することができるので、クーパー靭帯を保護し、乳房の下垂を抑制することができるようになっている。
【００１９】
右側緊締部２２及び左側緊締部２３は、例えば、乳房の外側面においては、乳房を覆うように乳房に合わせて幅が広くなっており、肩に向かい幅が狭くなるように形成されている。乳房の外側面における幅は、例えば、５ｃｍから２０ｃｍ程度であり、肩における幅は、例えば、１ｃｍから６ｃｍ程度であることが好ましい。
【００２０】
また、前身頃２０の襟ぐり（ネックライン）は、鎖骨３４を押さえつけないように、鎖骨３４が露出するように形成することが好ましい。肩胛骨と鎖骨と上腕は一連に関連して動くので、鎖骨が押さえられていない方が肩胛骨を正しい位置としやすく、また、鎖骨を押さえると血行が悪くなってしまうからである。袖はあっても、なくてもよい。
【００２１】
この衣類１では、第１の背緊締部１２及び第２の背緊締部１３により、胸郭を開き、肩胛骨を正しい位置とすることで姿勢を正しく保持する。また、右側緊締部２２及び左側緊締部２３により、第１の背緊締部１２及び第２の背緊締部１３と連動して、乳房を両側から挟み込み、乳房を外側面から乳頭中心部へ向かい下から押し上げて、乳房の位置を安定させる。
【００２２】
このように、本実施の形態に係る衣類によれば、第１の背緊締部１２と第２の背緊締部１３とを設けるようにしたので、肩関節３３を固定することなく、右肩胛骨３１又は左肩胛骨３２を包み込むように緊締力を働かせて、胸郭を開き、肩胛骨を正しい位置とすることができる。よって、猫背を改善して姿勢を正しく保持することができ、筋肉への負担を改善することができる。これにより、血行が良好となり、筋肉のこりを改善することができると共に、肩から背中のラインを美しく整えることができる。また、右肩胛骨３１及び左肩胛骨３２の運動・可動域を妨げないので、肩及び腕を自由に動かすことができ、背筋力をつけることができる。更に、胸郭を開くことにより、乳房の位置が上がり、肩からウエストまでのラインを美しく整えることができる。
【００２３】
また更に、右側緊締部２２と左側緊締部２３とを設けるようにすれば、第１の背緊締部１２及び第２の背緊締部１３と連動して、サイドパネルとして機能し、乳房を両側から挟み込み、乳房を外側面から乳頭中心部へ向かい下から押し上げることができる。よって、乳房の位置を安定させて上下運動及び左右の揺れを抑制することができ、クーパー靭帯を保護して、乳房の下垂を抑制することができる。また、乳房の外側面を押さえることができ、胸からウエストのラインを美しく整えることができる。更に、乳房を中央に寄せることができ、胸の中央に谷間を作り、自然で美しいバストラインを作ることができる。
【００２４】
以上、実施の形態を挙げて本発明を説明したが、本発明は上記実施の形態に限定されるものではなく、種々変形可能である。例えば、上記実施の形態では、第１の背緊締部１２、第２の背緊締部１３、右側緊締部２２、及び、左側緊締部２３を備える場合について説明したが、全てを有していなくてもよく、また、他の緊締部を有していてもよい。例えば、女性用の場合には、第１の背緊締部１２、第２の背緊締部１３、右側緊締部２２、及び、左側緊締部２３を備えていることが好ましいが、男性用の場合には、第１の背緊締部１は２及び第２の背緊締部１３を備えていればよく、右側緊締部２２及び左側緊締部２３は不要である。
【００２５】
更に、上記実施の形態では、後身頃１０及び前身頃２０により腹部及びお尻までを覆う場合について示したが、ウエストまで、又は、ウエストより短くしてもよい。その場合、後身頃１０及び前身頃２０の下端部に、ゴムなどの伸縮部材よりなる密着部を設けるようにしてもよい。また、逆に、後身頃１０及び前身頃の長さは、下半身の少なくとも一部までを覆うようにしてもよく、その場合、股付きにしてもよい。
【産業上の利用可能性】
【００２６】
姿勢を正しく保つことができるように補助する衣類に適用することができる。
【符号の説明】
【００２７】
１…衣類、１０…後身頃、１１…後本体部、１２…第１の背緊締部、１３…第２の背緊締部、２０…前身頃、２１…前本体部、２２…右側緊締部、２３…左側緊締部、３１…右肩甲骨、３２…左肩胛骨、３３…肩関節、３４…鎖骨
【要約】
【課題】簡単に姿勢を正しく保つことができるように補助することができる衣類を提供する。
【解決手段】衣類１は、少なくとも背中の一部を覆う後身頃１０と、少なくとも胸部の一部を覆う前身頃とを備えている。後身頃１０は、左肩から右肩胛骨の方に向かい、右肩胛骨の下角の下を通り、右肩胛骨の下角を包み込むように上方に向かい、腋窩の下の胸部右側面まで伸長された第１の背緊締部１２と、右肩から左肩胛骨の方に向かい、左肩胛骨の下角の下を通り、左肩胛骨の下角を包み込むように上方に向かい、腋窩の下の胸部左側面まで伸長された第２の背緊締部１３とを有している。
【選択図】図１【図１】
0005569996.tif 000002
【図２】
0005569996.tif 000003
【図３】
0005569996.tif 000004
【図４】
0005569996.tif 000005